(57)【特許請求の範囲】
【請求項１】
下記式(1)の化合物を少なくとも1種及び式(5)の化合物を少なくとも1種含むことを特徴とするネマチック液晶組成物。
【化１】
0004639408.tif 000022
[式中R1、R2は、炭素数1〜15のアルキル基、炭素数2〜15のアルケニル基であり、この基は非置換であるか、あるいは置換基として少なくとも1個のハロゲンを有しており、そしてこれらの基中に存在する1個または2個以上のCH2基はそれぞれ独立してO原子が相互に直接結合しないものとして -O-、-S-、-CO-、-COO-、-OCO-、-OCO-O-により置き換えられても良く、環A1及び環A2はそれぞれ相互に独立して、
(a) トランス-1,4-シクロへキシレン基
からなる群より選ばれる基であり、上記の基(a)はCNまたはハロゲンで置換されていてもよく、nは0または1である。]
【化５】
0004639408.tif 000023
(式中環A4はピリミジン-2,5-ジイル基、ピリジン-2,5-ジイル基、トランス1,4-シクロヘキシレン基または1,4-フェニレン環を表し、Y1はCNであり、Rは式(1)でのR1の定義と同じである。)
【請求項２】
R1、R2の少なくとも一方が炭素数2〜15のアルケニルである式(1)の群から選ばれた化合物を、少なくとも1種含むことを特徴とする請求項1記載のネマチック液晶組成物。
【請求項３】
式(1)の群から選ばれた化合物を少なくとも2種以上含むことを特徴とする請求項1または2記載のネマチック液晶組成物。
【請求項４】
式(2)を含むことを特徴とする請求項1ないし請求項3のいずれか一つに記載のネマチック液晶組成物。
【化２】
0004639408.tif 000024
(式中Rは式(1)でのR1の定義と同じであり、環A3、環A4及び環A5はそれぞれ相互に独立して、
(a) トランス-1,4-シクロへキシレン基(この基中に存在する1個のCH2基または隣接していない2個以上のCH2基は -O- 及びまたは -S- に置き換えられてもよい)
(b) 1,4-フェニレン基
(c) 1,4-シクロヘキセニレン、1,4-ビシクロ(2.2.2)オクチレン、ピペリジン-1,4-ジイル、ナフタレン-2,6-ジイル、デカヒドロナフタレン-2,6-ジイル及び1,2,3,4-テトラヒドロナフタレン-2,6-ジイル
からなる群より選ばれる基であり、上記の基(a)、基(b)、基(c)はCNまたはハロゲンで置換されていてもよく、
X1,X2はそれぞれ独立してHまたはFであり、Z1、Z2、Z3はそれぞれ独立して、-COO-,-OCO-,-CH2O-,-OCH2-,-CH2CH2-,-CH=CH-,-C≡C-,-(CH2)4-,-CH=CH-CH2CH2-,-CH2CH2-CH=CH- または単結合であり、a、bはそれぞれ独立して0または1であり、Y1はFまたはCNである。)
【請求項５】
式(2)の化合物が、式(3)で表される化合物であることを特徴とする請求項4記載のネマチック液晶組成物。
【化３】
0004639408.tif 000025
(式(3)は式(2)におけるbが0であり、環A4が、式(4)
【化４】
0004639408.tif 000026
であり、X3、X4はそれぞれ独立してX1と同じ定義であり、その他の記号の定義は式(2)の定義と同じである。)
【請求項６】
式(6)を含むことを特徴とする請求項1ないし請求項5のいずれか一つに記載のネマチック液晶組成物。
【化６】
0004639408.tif 000027
(式中Rは式(1)のR1と同じ定義であり、Y2はRと同じ定義であり、環A6、環A7、環A8、環A9はそれぞれ独立して、
(a) トランス-1,4-シクロへキシレン基(この基中に存在する1個のCH2基または隣接していない2個以上のCH2基は -O- 及びまたは -S- に置き換えられてもよい)
(b) 1,4-フェニレン基
(c) 1,4-シクロヘキセニレン、1,4-ビシクロ(2.2.2)オクチレン、ピペリジン-1,4-ジイル、ナフタレン-2,6-ジイル、デカヒドロナフタレン-2,6-ジイル及び1,2,3,4-テトラヒドロナフタレン-2,6-ジイル
からなる群より選ばれる基であり、上記の基(a)、基(b)、基(c)はCNまたはハロゲンで置換されていてもよいが、但しデカヒドロナフタレンではなく、c、dはそれぞれ独立して0または1であり、Z4、Z5、Z6はそれぞれ独立してZ1と同じ定義である。但しZ5は更に-CF=CF-であってもよい。)
【請求項７】
式(6)の化合物において、Z5が-CF=CF-であることを特徴とする請求項6記載のネマチック液晶組成物。
【請求項８】
式(6)の化合物において、Z5が-C≡C-あることを特徴とする請求項6記載のネマチック液晶組成物。
【請求項９】
式(6)の化合物が、式(7-1)ないし式(7-4)で表される化合物であることを特徴とする請求項6記載のネマチック液晶組成物。
【化７】
0004639408.tif 000028
(式中R、Y2はそれぞれ独立に式(1)のR1と同じ定義であり、Zは単結合、-COO-、-OCO-、-C≡C-、-CH=CH-、-CF=CF-または-CH2CH2-である。)
【請求項１０】
光学活性成分としてコレステリックノナノエートまたは式(8)の化合物を含有することを特徴とする請求項1ないし請求項9のいずれか一つに定義されたネマチック液晶組成物。
【化８】
0004639408.tif 000029
(式中R、R’はそれぞれ独立に式(1)のR1と同じ定義である。)
【請求項１１】
自発ピッチ(P; μm)とパネルの液晶層の厚み(d;μm)の比d/pが0.2から1.2であることを特徴とする請求項1ないし請求項10のいずれか一つに定義されたネマチック液晶組成物。
【請求項１２】
ネマティック-アイソトロピック転移温度(Tni)が少なくとも60℃であり、クリスタル(あるいはスメクティック)-ネマティック転移温度(T→N )が高くとも-30℃であり、複屈折(Δn)が0.04から0.20であることを特徴とする請求項1ないし請求項11のいずれか一つに定義されたネマチック液晶組成物。
【請求項１３】
弾性定数の比K33/K11(K33：曲げの弾性定数、K11：スプレイの弾性定数)が1.0〜2.0であることを特徴とする請求項1ないし請求項12のいずれか一つに定義されたネマチック液晶組成物。
【請求項１４】
2枚の基板上に配向膜が形成され、基板間に正の誘電異方性を有するネマチック液晶組成物が封入され、配向膜上に配向した液晶分子の長軸と基板のなす角が、1°から30°のチルト角であり、上下基板間でのねじれ角が100°から600°であるスーパーツイスト液晶ディスプレイにおいて、前記ネマチック液晶組成物が、請求項1ないし請求項13のいずれか一つに定義されたネマチック液晶組成物であることを特徴とするスーパーツイスト液晶ディスプレイ。
【発明の詳細な説明】
【０００１】
【発明の属する技術分野】
本発明は、幅広い動作温度範囲を有するスーパーツイスト液晶ディスプレイ(以下STNと略す)に関し、かつまた液晶組成物に特定の構造を持つ材料を使用した電気光学液晶ディスプレイに関する。
【０００２】
【従来の技術】
液晶表示装置(LCD)は、電卓のディスプレイとして登場して以来、コンピューターの開発と歩みを同じくして、TN-LCD(ツイスティッド・ネマチック液晶表示装置)から、STN-LCD(スーパー・ツイスト・ネマチック)へと表示容量の拡大に対応してきた。STN-LCDは、シェファー(Scheffer)等[SID '85 Digest, 120頁(1985年)]、あるいは衣川等[SID '86 Digest, 122頁(1986年)]によって開発され、ワードプロセッサ、パーソナルコンピュータなどの高情報処理用の表示に広く普及しはじめている。STN-LCDはTN-LCDでは90゜程度の捻りを更に強く捻ったものである。捻りを上げることにより、印加電圧に対する光学応答が急峻になり、TN-LCDでは達成できなかった高密度表示での十分なコントラストを得ることが出来る。一方、強く捻ったために、ねじれた配向を安定して維持することが難しくなり、アンダードメインと呼ばれる十分ねじれない状態や、ストライプドメインと呼ばれ、ねじれが安定せずセル中央の分子が波打ったように配列し散乱が起こり、著しくコントラストを悪化させる状態が起こるようになった。このような好ましくない状態を起こりにくくするには、液晶組成物の分子構造や、チルト角、弾性定数、分子間相互作用等のパラメータの制御が重要になってきた。また近年携帯を目的としたノート型コンピューターの需要が高まり、特にこれらの用途に使用されるSTN-LCDには、戸外での使用にも耐える特性が求められている。このため、高温でのコントラストに優れ、低温での結晶析出やスメクチック相の発現が見られず、UV光・太陽光暴露下に放置されても、コントラストの低下や表示不良がみられない特性が強く求められていたが、従来の液晶組成物及びこれらを使用した液晶表示素子は必ずしもこれらを満足するものではなかった。すなわち、高いネマチックーアイソトロピック転移温度、低いクリスタル(若しくはスメクチック)転移温度、高コントラストを可能とする急峻な電気光学特性、熱・光に対する高い信頼性を同時に満足する液晶組成物および液晶表示素子はなかった。
【０００３】
たとえば、WO9403558号や、特開昭63-61083には、トリフルオロ化合物とジフルオロ化合物とを用いた液晶組成物の例が開示されているが、液晶温度範囲が狭かったり、低温での温度安定性が不十分であったり、しきい値電圧が高い等多くの問題点を抱えているのが現状である。また特表平4-501878や特開平5-70777にはSTN-LCDの液晶組成物による改善が開示されているが、上記の課題に対して十分な解決とはなっていなかった。
【０００４】
【発明が解決しようとする課題】
最も重要な課題は、電気光学特性の急峻性に優れ、高コントラストであり、不安定なねじれ構造を起こしにくく、歩留まりよく、高速応答を兼ね備えたSTN-LCDを製造できる液晶組成物及びディスプレイ特性に最適化された複屈折、弾性定数を持つ液晶組成物とディスプレイパラメータの最適の組み合わせを見いだすことである。
【０００５】
【課題を解決するための手段】
液晶材料化合物及び液晶組成物を網羅的に検討した結果、上記課題を満足する若しくは上記欠点を従来よりは小さい程度で抑えることができるSTN-LCD用液晶組成物を見い出し、これを用いたSTN-LCDを作成することができた。以下本発明について詳述する。
【０００６】
第1の発明は、2枚の基板上に配向膜が形成され、基板間に正の誘電異方性を有するネマチック液晶組成物が封入され、配向膜上に配向した液晶分子の長軸と基板のなす角が、1°から30°のチルト角であり、上下基板間でのねじれ角が100°から600°であるスーパーツイスト液晶ディスプレイにおいて、前記ネマチック液晶組成物が、下記式(1)の化合物を少なくとも1種含むことを特徴とするスーパーツイスト液晶ディスプレイに関する。
【０００７】
【化９】
0004639408.tif 000002
【０００８】
[式中R1、R2は、炭素数1〜15のアルキル基または炭素数2〜15のアルケニル基であり、この基は非置換であるか、あるいは置換基として少なくとも1個のハロゲンを有しており、そしてこれらの基中に存在する1個または2個以上のCH2基はそれぞれ独立してO原子が相互に直接結合しないものとして -O-、-S-、-CO-、-COO-、-OCO-、-OCO-O-により置き換えられても良く、環A1及び環A2はそれぞれ相互に独立して、
(a) トランス-1,4-シクロへキシレン基(この基中に存在する1個のCH2基または隣接していない2個以上のCH2基は -O- 及びまたは -S- に置き換えられてもよい)
(b) 1,4-フェニレン基(この基中に存在する1個のCH2基または隣接していない2個以上のCH2基は -N- に置き換えられてもよい)
(c) 1,4-シクロヘキセニレン、1,4-ビシクロ(2.2.2)オクチレン、ピペリジン-1,4-ジイル、ナフタレン-2,6-ジイル、デカヒドロナフタレン-2,6-ジイル及び1,2,3,4-テトラヒドロナフタレン-2,6-ジイル
からなる群より選ばれる基であり、上記の基(a)、基(b)、基(c)はCNまたはハロゲンで置換されていてもよく、nは0または1である。]
【０００９】
第2の発明は、液晶組成物が、R1、R2の少なくとも一方が炭素数2〜15のアルケニルである式(1)の群から選ばれた化合物を、少なくとも1種含むことを特徴とする第1の発明に記載のスーパーツイスト液晶ディスプレイに関する。
【００１０】
第3の発明は、液晶組成物が、式(1)の群から選ばれた化合物を少なくとも2種以上含むことを特徴とする第1の発明または第2の発明に記載のスーパーツイスト液晶ディスプレイに関する。
【００１１】
第4の発明は、液晶組成物が式(2)を含むことを特徴とする第1の発明ないし第3の発明に記載のスーパーツイスト液晶ディスプレイに関する。
【００１２】
【化１０】
0004639408.tif 000003
【００１３】
(式中Rは式(1)でのR1の定義と同じであり、環A3、環A4及び環A5はそれぞれ相互に独立して環A1と同じ定義であり、X1,X2はそれぞれ独立してHまたはFであり、Z1、Z2、Z3はそれぞれ独立して、-COO-,-OCO-,-CH2O-,-OCH2-,-CH2CH2-,-CH=CH-,-C≡C-,-(CH2)4-,-CH=CH-CH2CH2-,-CH2CH2-CH=CH- または単結合であり、a、bはそれぞれ独立して0または1であり、Y1はFまたはCNである。)
【００１４】
第5の発明は、式(2)の化合物が、式(3)で表される化合物であることを特徴とする第4の発明に記載のスーパーツイスト液晶ディスプレイに関する。
【００１５】
【化１１】
0004639408.tif 000004
【００１６】
(式(3)は式(2)におけるbが0であり、環A4が、式(4)
【００１７】
【化１２】
0004639408.tif 000005
【００１８】
であり、X3、X4はそれぞれ独立してX1と同じ定義であり、その他の記号の定義は式(2)の定義と同じである。)
【００１９】
第6の発明は、式(2)の化合物が、式(5)で表される化合物であることを特徴とする第4の発明に記載のスーパーツイスト液晶ディスプレイに関する。
【００２０】
【化１３】
0004639408.tif 000006
【００２１】
(式(5)は式(2)におけるa,bが両方とも0であって、環A4がピリミジン-2,5-ジイル基、ピリジン-2,5-ジイル基、トランス1,4-シクロヘキシレン基または1,4-フェニレン環であり、Z3が単結合であり、Y1はCNであり、その他の定義は式(2)の定義と同じである。)
【００２２】
第7の発明は、液晶組成物が式(6)を含むことを特徴とする第1の発明ないし第6の発明に記載のスーパーツイスト液晶ディスプレイに関する。
【００２３】
【化１４】
0004639408.tif 000007
【００２４】
(式中Rは式(1)のR1と同じ定義であり、Y2はRと同じ定義であり、環A6、環A7、環A8、環A9はそれぞれ独立して環A1と同じ定義であるが、但しデカヒドロナフタレンではなく、c、dはそれぞれ独立して0または1であり、Z4、Z5、Z6はそれぞれ独立してZ1と同じ定義である。但しZ5は更に-CF=CF-であってもよい。)
【００２５】
第8の発明は、式(6)の化合物において、Z5が-CF=CF-であることを特徴とする第7の発明に記載のスーパーツイスト液晶ディスプレイに関する。
【００２６】
第9の発明は、式(6)の化合物において、Z5が-C≡C-あることを特徴とする第7の発明記載のスーパーツイスト液晶ディスプレイに関する。
【００２７】
第10の発明は式(6)の化合物が、式(7-1)ないし式(7-4)で表される化合物であることを特徴とする第7の発明に記載のスーパーツイスト液晶ディスプレイに関する。
【００２８】
【化１５】
0004639408.tif 000008
【００２９】
(式中R、Y2はそれぞれ独立に式(1)のR1と同じ定義であり、Zは単結合、-COO-、-OCO-、-C≡C-、-CH=CH-、-CF=CF-または-CH2CH2-である。)
【００３０】
第11の発明は、液晶組成物が光学活性成分としてコレステリックノナノエートまたは式(8)の化合物を含有することを特徴とする請求項1ないし請求項10の少なくとも1つに定義されたスーパーツイスト液晶ディスプレイに関する。
【００３１】
【化１６】
0004639408.tif 000009
【００３２】
(式中R、R'はそれぞれ独立に式(1)のR1と同じ定義である。)
【００３３】
第12の発明は、液晶組成物の自発ピッチ(P; μm)とパネルの液晶層の厚み(d;μm)の比d/pが0.2から1.2であることを特徴とする第1の発明ないし第11の発明の少なくとも1つに定義されたスーパーツイスト液晶ディスプレイに関する。
【００３４】
第13の発明は、液晶組成物のネマティック-アイソトロピック転移温度(Tni)が少なくとも60℃であり、クリスタル(あるいはスメクティック)-ネマティック転移温度(T-n)が高くとも-30℃であり、複屈折(Δn)が0.04から0.20であることを特徴とする第1の発明ないし第12の発明の少なくとも1つに定義されたスーパーツイスト液晶ディスプレイに関する。
【００３５】
第14の発明は、液晶組成物の弾性定数の比K33/K11(K33：曲げの弾性定数、K11：スプレイの弾性定数)が1.0〜2.0であることを特徴とする第1の発明ないし第13の発明の少なくとも1つに定義されたスーパーツイスト液晶ディスプレイに関する。
【００３６】
第15の発明は、第1の発明ないし第14の発明の少なくとも1つに定義されたネマチック液晶組成物。
【００３７】
【発明の実施の形態】
STN-LCDは複屈折を利用するモードであるため、Δn・dの微細な調整が必要である。液晶化合物のΔnは主にその環構造により決まり、従来はシクロヘキサン環、フェニル環、ヘテロ環などの骨格の組み合わせによりΔnの調整を行っていた。しかし、STN-LCDに求められる様々なパラメータを満足しつつ、Δnの調整を行う事は非常に困難であった。特にネマチック温度範囲はその中でも、もっとも重要なパラメータであり、ネマチック温度範囲の拡大とΔnの調整を同時に行うことが強く求められていたが、従来満足できる液晶組成物及びこれを使用したスーパーツイストディスプレイは得られていなかった。本発明は、環構造としてデカリン構造を有する比較的Δnの小さい液晶化合物を使用することにより、ネマチック温度範囲の拡大とΔnの調整を同時に可能とするものである。
【００３８】
ネマチック温度範囲の拡大は、最近要望の高まっている携帯端末ディスプレイ用として有用である。本発明による組成物は、温度範囲拡大がネマティック上限温度だけでなく、結晶やスメクチックになるネマティック下限温度に対しても拡大効果があるため、本発明の組成物を使用したスーパーツイスト液晶ディスプレイは、戸外の高温の環境でも、低温の環境でも高いコントラストでの動作が可能となる。本発明の組成物に使用される化合物の組み合わせは、従来の組成物に比べ、液晶温度範囲が広く、STNでの電気光学特性の急峻性に優れるためコントラストが高く、高温度での信頼性が高いSTNディスプレイを作製することができる。
【００３９】
さらに詳述すると、式(1)の構造を有する好ましい例は、
【００４０】
【化１７】
0004639408.tif 000010
【００４１】
(R1、R2は、式(1)と同じ定義である。)
であるが、R1、R2のいずれかがアルケニル基であることが好ましく、特にR2がアルケニルであることが好ましく、両方の基がアルケニルであることが更に好ましい。アルケニル基は、炭素数は2〜5が好ましく、特に下記の構造が好ましい。
【００４２】
【化１８】
0004639408.tif 000011
(上記それぞれの構造において、右端は環に接合している。)
【００４３】
式(2)の好ましい例は、
【００４４】
【化１９】
0004639408.tif 000012
【００４５】
(Rは式(1)のR1と同じ定義である。)
であるが、Rはアルキル基またはアルコキシル基であることが好ましくその炭素数は1から5であることが好ましい。またRはアルケニル基であることが好ましく、炭素数は2〜5が好ましく、特に下記の構造が好ましい。
【００４６】
【化２０】
0004639408.tif 000013
(上記それぞれの構造において、右端は環に接合している。)
【００４７】
式(2)の化合物の内、式(3)で表される化合物の好ましい例は、
【００４８】
【化２１】
0004639408.tif 000014
【００４９】
(Rは式(1)のR1と同じ定義である。)
であるが、Rはアルキル基またはアルコキシル基であることが好ましくその炭素数は1から5であることが好ましい。またRはアルケニル基であることが好ましく、炭素数は2〜5が好ましく、特に下記の構造が好ましい。
【００５０】
【化２２】
0004639408.tif 000015
(上記それぞれの構造において、右端は環に接合している。)
【００５１】
式(6)で表される化合物の好ましい例としては、
【００５２】
【化２３】
0004639408.tif 000016
【００５３】
(R、Y2は式(1)のR1と同じ定義である。)
であるが、R、Y2はアルキル基またはアルコキシル基であることが好ましくその炭素数は1から5であることが好ましい。またR、Y2はアルケニル基であることが好ましく、炭素数は2〜5が好ましく、特に下記の構造が好ましい。
【００５４】
【化２４】
0004639408.tif 000017
(上記それぞれの構造において、右端は環に接合している。)
R、Y2は両方ともアルケニル基であることが特に好ましい。
【００５５】
式(1)の化合物は5%以上含有することが好ましく、さらに好ましくは10%以上含有することが好ましい。各式の化合物を1種以上使用することが好ましいが、2種以上使用することがさらに好ましい。全成分数は10成分以上にすることが好ましい。Rは炭素数1から10のアルキル基、若しくは炭素数2〜10のアルケニル基が好ましく、Rがアルケニル基である場合、特に下記の構造が好ましい。
【００５６】
【化２５】
0004639408.tif 000018
(上記それぞれの構造において、右端は環に接合している。)
【００５７】
本発明の液晶組成物の弾性定数比K33/K11は1.0から2.0の間の値であることが好ましく、バランスを考えた系では、1.2から1.7であることが好ましい。ディスプレイのセル厚dと液晶組成物の自発ピッチpとの比d/pは、液晶のねじれ角に依存するが、0.2から1.2であることが好ましく、特に好ましくは0.4から0.8である。Δn・dはSTN-LCDにおいて非常に重要なパラメータであるが、本発明によるSTN-LCDのΔn・dは0.5〜1.3であることが好ましい。
【００５８】
本発明の液晶組成物は、公知の方法で作製することができる。
【００５９】
【実施例】
以下、実施例を挙げて本発明を更に詳述するが、本発明はこれらの実施例に限定されるものではない。また、以下の実施例及び比較例の組成物における「%」は『重量%』を意味する。
【００６０】
実施例中、測定した特性は以下の通りである。
【００６１】
Tni  ：ネマチック相-等方性液体相転移温度(℃)
T→N ：固体相又はスメクチック相-ネマチック相転移温度(℃)
Vth  ：セル厚6μmのTN-LCDを構成した時のしきい値電圧(V)
Δε ：誘電異方性
Δn  ：複屈折
K11  ：25℃でのスプレイの弾性定数(PN)
K33  ：25℃での曲げの弾性定数(PN)
η  ：20℃での粘度(c.p.)
γ  ：240°ツイストセルにて測定した輝度90%と10%での印加電圧の比(急峻性)。
【００６２】
また、化合物記載に下記の略号を使用する。
【００６３】
【化２６】
0004639408.tif 000019
【００６４】
(式中シクロヘキサン環の立体はトランス体を表す。)
E          -COO-
A          -CH2CH2-
T          -C≡C-
CN         -C≡N (末端基)
F          -F (末端基)
F          末端基のオルト位に結合したF原子
OCF3       OCF3 (末端基)
ndm-       CnH2n+1-C=C-(CH2)m-1-
(実施例1、2及び比較例1)
【００６５】
【表１】
0004639408.tif 000020
【００６６】
【化２７】
C1
0004639408.tif 000021
【００６７】
比較例1中の化合物0d1CC5の10%を式(1)の化合物であるC1で置換した実施例1、20%を置換した実施例2は、ネマチック温度範囲がいずれも広がっていることがわかる。比較例1、実施例1及び実施例2で得られた液晶組成物にカイラル物質「S-811」(メルク社製)を添加して混合液晶を調製した。対向する平面透明電極上に「サンエバー150」(日産化学社製)の有機膜を形成しラビングにより配向処理を行ったツイスト角は240度に設定したセル中に液晶組成物注入し、スーパーツイストディスプレイを作製した。なお、カイラル物質はカイラル物質の添加による混合液晶の固有らせんピッチPと表示用セルのセル厚dが、Δn・d=0.85、d/P=0.50となるように添加した。表1に示すように、実施例1、実施例2の液晶組成物を使用したスーパーツイストディスプレイは、比較例に比べ急峻性γが改善されている(γが1に近づいている)。-30℃の低温においても析出やスメクチックの発生が見られず、低温安定性も優れ、熱・光に対しても安定なディスプレイが得られた。
【００６８】
【発明の効果】
式(1)の化合物を含む液晶組成物を使用することにより、スーパーツイスト液晶ディスプレイに求められる種々の要求特性を満足し、電気光学特性の急峻性に優れ、高コントラストであり、低温安定性も優れ、熱・光に対しても安定な液晶組成物及びこれを使用したスーパーツイスト液晶ディスプレイを提供することができた。